(57)【特許請求の範囲】
【請求項１】
長矩形の流路枠の内部を中仕切りによって長手方向に列状に区分され、この区分された部分に複数個の羽根を備え、天井開口の周縁に同流路枠を配置しつつ空気の吹出口用枠に接続して取付けられる結露防止ライン型吹出口であって、
中仕切りの前記流路枠の短辺側壁面との突き当たり部には空気の吹出口用枠の内部から室内側空間に連通し中仕切りの室内側となる鏡面側に形成された不連続部を含む間隙が形成されてなる結露防止ライン型吹出口。
【請求項２】
中仕切りの前記流路枠の短辺側壁面との突き当たり部には、前記間隙に連通接続された切欠が設けられてなる請求項１記載の結露防止ライン型吹出口。
【発明の詳細な説明】
【０００１】
【産業上の利用分野】
本発明は、屋内の天井面に設置される結露防止ライン型吹出口であって、特に複数列の長い羽根を備えた結露防止ライン型吹出口に関する。
【０００２】
【従来の技術】
従来、ホテル、劇場、集会所等の出入口部においては、その出入口部に設けたドアの内面側にエアカーテンを設け、ドアの開閉時に外部から塵埃や温度の異なる気流が侵入するのを遮断し、また、建物の窓際にエアカーテンを設け室内への太陽光線の輻射熱を遮断しながら空気調和を行うのが通常である。これらの各エアカーテンは、それらの出入り口や窓際に対応した天井板の位置にライン型吹出口（線状吹出口）を設置して空調空気を吹き出すことにより行われる。そして、大きな空調すべき空間を備えた建築物などでは吹出し空気量の大きな２列、３列等の複数列の吹出し開口を備えた吹出口が採用される場合が多く、このような複数個、あるいは複数列の羽根を有する吹出口においては羽根数に対応する吹出し開口を形成すべく、額縁部の開口に長手方向に長く中仕切りを設けて風向設定を行いやすいようにしたものが汎用されている。
【０００３】
【解決しようとする問題点】
図６、図７は従来の二連羽根を備え、電熱線等の熱源となるヒータ線を額縁枠などに配置させて結露防止を行うライン型吹出口の一部省略縦断面図及びその一部省略底面図であり、長矩形の吹出し流路を形成する流路枠２０の流路を長手方向に２分割するように中仕切り２２が固定されている。すなわち、中仕切り２２は流路枠２０の長辺側に沿って長く取り付けられ、これによって形成された仕切り開口に対応する位置の流路枠側に２個の羽根２４が回動可能に取り付けられている。このような二連式羽根に対応する二列の仕切り開口を備えた線条電熱源式の結露防止ライン型吹出し口においては、中仕切りの仕切り開口の中央側については空気の流れが天井裏側から室内側に流れるので結露を生じないが、中仕切り２２と流路枠との短辺側とはそれらの接続部ＺにおいてＴ字状に結合されているためどうしても結露を生じやすく、腐食や汚れの原因となる点、問題であった。このため、図７破線に示すように、流路枠の外周縁に固定される額縁枠２６内にヒータ線２８を埋め込み、同額縁枠内にループ状に配線すると共に、接続部Ｚについては、額縁枠からいったん中仕切り２２内に折れ込んで配置させ、中途部分から反転させて外縁枠方向に折り返させ、再び外縁枠内を周回させるように配線してこの部分の結露防止を行わせる手法も提案されている。しかしながら、このように外縁枠から中仕切り部分に折れ込ませて中途部分まで延長させ、折り返させて再び外縁枠に周回させてヒータ線の中仕切り突出部２８ａを形成するようなヒータ線の配線方法は、極めて煩雑で作業工程を増やして作業コストを高いものとするだけでなく、配線が複雑なため絶縁不良率や断線率が高く、故障の原因ともなるという問題があった。
【０００４】
本発明は、上記従来の問題点に鑑みてなされたものであり、その目的は、複数羽根タイプのライン型吹出口の結露防止を確実に行うとともに、結露防止用ヒータ線の配線を簡単にし、作業時間の短縮、作業コスト低減を行うと共に、絶縁不良や断線による故障の発生をも極減させ得る結露防止ライン型吹出口を提供することにある。
【０００５】
【問題点を解決するための手段】
上記目的を達成するために、本発明は、長矩形の流路枠２０の内部を中仕切り２２によって長手方向に列状に区分され、この区分された部分に複数個の羽根２４を備え、天井開口１４の周縁に同流路枠２０を配置しつつ空気の吹出口用枠４６に接続して取付けられる結露防止ライン型吹出口であって、中仕切り２２の前記流路枠２０の短辺側壁面２０Ｓとの突き当たり部３０には空気の吹出口用枠４６の内部から室内側空間に連通し中仕切り２２の室内側となる鏡面側に形成された不連続部４４を含む間隙３２が形成されてなる結露防止ライン型吹出口１０から構成される。
【０００６】
そのうちの中仕切り２２の前記流路枠２０の短辺側壁面２０Ｓとの突き当たり部３０には、前記間隙３２に連通接続された切欠４０が設けられてなることとしても良い。
【０００７】
【作用】
本発明の結露防止ライン型吹出口は、長矩形の流路枠の内部を中仕切りによって長手方向に列状に区分され、この区分された部分に複数個の羽根を備え、天井開口の周縁に同流路枠を配置しつつ空気の吹出口用枠に接続して取付けられる結露防止ライン型吹出口であって、中仕切りの前記流路枠の短辺側壁面との突き当たり部には空気の吹出口用枠の内部から室内側空間に連通し中仕切りの室内側となる鏡面側に形成された不連続部を含む間隙が形成されている。流路枠と中仕切りの端面との間に間隙が形成されているので中仕切りの基部側に常に上流から下流側、すなわち室内側に向けて空気流が生じることとなり、このため、室内誘引空気が中仕切りの中央側に侵入できなくなり、従って、一種のエアカーテンのように機能して結露を効果的に防止する。従って、吹出口そのものの結露防止のためのヒータ線配線作業が、単に額縁部に沿ってループ状に形成する配線だけで良いから、作業が簡単であり、短時間で作業を完了することとなる。また、前記間隙３２は前記中仕切り２２の室内側となる鏡面側に形成された不連続部４４を含むこととしている。中仕切りの室内側となる鏡面側端部、すなわち、空気の流れ下流側に溝あるいは切り込みなどを形成するだけでも中仕切りの幅方向に交差する方向に空気流が生じるから、誘引空気の浸入を遮断することとなり、簡単な構成及び製造作業により効果的に結露防止を行える。
【０００８】
また、中仕切りの前記流路枠の短辺側壁面との突き当たり部には、前記間隙に連通接続された切欠が設けられている。流路枠の短辺側壁面と中仕切りの間の間隙を単なる直状の間隙とせず、例えばこの直状間隙から大きな面積を備えた切欠とすることにより、中仕切りの空気流れ下流側、すなわち鏡面側端部に充分な空気が通流する結果、この空気流が常時存在することとなり、室内の比較的に高温の空気の誘引を完全に防止することとなる。
【０００９】
【実施例】
以下、添付図面に基づき本発明の好適な実施例を説明するが前記した従来のライン型吹出口と同一部材には同一符号を付して説明する。図１、図２は実施例に係る結露防止ライン型吹出口１０の要部拡大断面図及び同じ部分の一部省略底面図であり、図１において天井ボード１２の所要の位置に形成された天井開口１４に本実施例に係る結露防止ライン型吹出口１０が取り付けられる。
【００１０】
図２にも示すように、この結露防止ライン型吹出口１０は、長矩形の開口に沿って長い二本の羽根２４を備えた二枚羽根タイプのライン型吹出口であり、例えばアルミニウム型材などにより構成される流路長さの短い流路枠２０に断面直交するようにその外縁に額縁枠２６が固定され、流路枠２０部分を天井開口１４から天井裏側に突入させ、額縁枠２６を室内側となる鏡面側に露出させるようにして該天井開口１４部分に取り付けられている。
【００１１】
すなわち、この結露防止ライン型吹出口１０は、長矩形の流路枠２０の内部を中仕切り２２によって長手方向に列状に区分され、この区分された部分に複数個の羽根２４を備え、天井開口１４の周縁に同流路枠２０を配置しつつ取り付けられるものである。流路枠２０は高さの低い長矩形中空筒体からなり、中空内部を空気が通流する流路としている。
【００１２】
中仕切り２２は図４、５に示すように断面略Ｔ字形状を長く形成した形状で構成され、これが流路枠２０内に長手方向に沿うように取り付けられる。そして、図１に示すように、この中仕切り２２の端面が従来は流路枠の内壁に直接連結固定されていたものが、本実施例では間隙３２を形成するようにして流路枠２０内に固定されている。
【００１３】
図１、４において中仕切り２２は断面横長四角形状の流路を中央部から縦に仕切るように縦方向に配置されている。これらの仕切り区分された仕切り流路３４ａ、３４ｂ内の流路枠短辺側寄り位置には軸支部材３６が流路枠の長辺側内壁及び中仕切り２２に挟装されるようにスペーサ部材としても機能するように配置されている。そして、この軸支部材３６は間に中仕切り２２をサンドイッチ状に挟み込むようにして一体的にビス止め固定されている。そして、この軸支部材３６に垂直、水平吹き出し用の一側に整流用の断面三角部を備えた羽根２４の軸２４ａが回動可能に軸支されている。また、この軸支部材３６が取りつけられる位置には略コ字枠形状のコ字枠板３８が上方からこの流路枠２０に被嵌され、同コ字枠板３８の両端側は流路枠２０の流れ上流側端縁にリベット固定されている。これによって、中仕切り２２は流路枠内に流路を長手方向に真ん中で区分するように配置固定される。
【００１４】
そして、中仕切り２２であって、この中仕切り２２の流路枠２０の短辺側壁面２０ｓとの突き当たり部３０には少なくとも空気流を生じ得る程度の間隙３２が形成されている。これによって、中仕切り２２の基部側における額縁枠２６との接合部分においても空気流が常時生じることとなり、この部分の誘引室内空気流を遮断して結露を発生させないようにするものである。そして、額縁枠２６部分はヒータ線２８を配線して結露を防止するのでこの種複数羽根型のライン型吹出口の結露発生を完全に防止し得るものである。
【００１５】
本実施例において、図１に示すように中仕切り２２の流路枠２０側端部は流路枠壁面２０ｓとは接しておらずスリット状の直状離間部４２が形成されている。更に、中仕切り２２の流路枠２０の短辺側壁面２０ｓとの突き当たり部３０であって、室内側となる鏡面側には切欠４０が直状離間部４２に連通接続し、かつ、この直状離間部から拡大するように大きな面積で形成されている。
【００１６】
この切欠４０により中仕切り２２の突き当たり部３０と流路枠２０の内壁との間隙幅を小さなものとしてもこの切欠４０において充分に空気が流れ込み、そのまま鏡面側となる室内側に吹き出されて室内誘引空気を周辺に近づかせないようにしている。間隙３２による室内誘引気流退避作用は、中仕切りの室内側となる鏡面側に不連続部４４を備えることによりより効果的に行われる。
【００１７】
本実施例において逆Ｔ字状に配置された中仕切り２２の室内側となる鏡面側には額縁枠２６の短辺側壁面２０ｓに対する中仕切りの突き当たり部分に対応する部分に該中仕切りの突き当たり面端部と額縁枠２６の短辺側側面とが離隔する不連続部４４が形成されている。この不連続部４４は細長いスリット状の不連続部としても良く、不連続幅間隔は任意に設定して良い。この不連続部４４は前記した切欠４０に連通している。そして、本実施例においては、中仕切りの空気流れ下流側、すなわち鏡面側端部に切欠４０が形成されて充分な空気が通流するようにし、さらに、鏡面側であって、額縁枠２６と面一状に形成される中仕切り２２の下端部分が不連続となる不連続部４４を形成して連通しているので、この空気流が常時存在することとなり、室内の比較的に高温の空気の誘引を完全に防止することとなる。
【００１８】
本実施例において、結露防止用の熱を発生させるヒータ線２８は額縁枠２６の天井裏側に端縁を曲げて形成した額縁枠凹部２６ａ内に電気絶縁性を有すると共に熱伝導性に優れたシリコーン系のモールド樹脂材を充填し、その中に埋め込んで流路枠２０の外周に固定された額縁枠２６に沿って単にループ状に配線している。そして、このように額縁部分となる流路枠２０の外周の結露防止を行うのみで、中仕切り部分には結露を生じることがなく、従って、結露防止用の配線作業が単純化されて簡単に行え、施工時間を短縮化できる結果、作業コストも安価に済ませることができる。
【００１９】
本実施例においては、水平、垂直吹き分け用のＩ形あるいは逆Ｔ字型の中仕切り２２を用いているが、垂直専用吹出しの場合にはこの中仕切りを直状にして用いるのが通常であり、このときには、例えば、中仕切りの室内側となる鏡面側に不連続部４４、すなわち、切り込みなどを設けるだけで、中仕切りの基部に中仕切りの中央側への室内空気流の侵入を遮断するような空気の通流が生じ、これによって、結露を防止しつつ、結露防止用配線作業を簡単に行えるものである。
【００２０】
図中、４６は図示しない空気ダクトに連通する吹出口装着用の開口を備え、該開口縁の内曲がりのフック部４６ａを形成させたライン型吹出口用枠、４８はこのフック部４６ａに両端を載置させ、枠４６内に装着させた略馬蹄形の本結露防止ライン型吹出口１０支持用の支持板、５０は上端を支持板４８に形成したタップに螺合貫通させて固定させると共に下部側をコ字枠板３８に貫通させ、更に前記軸支部材３６を貫通して連結させた支持用ビス、５２はヒータの電源接続用プラグである。本発明に係る結露防止ライン型吹出口は上記した実施例構成のみに限定されるものではなく、特許請求の範囲に記載した発明の本質を逸脱しない範囲において任意の改変を行っても良いものである。例えば、実施例のように２連羽根構成のライン型吹出口に限ることなく、３連、４連その他の複数羽根のライン型吹出口について適用しても良く、同様の中仕切り構成とすることにより同様の作用効果を得ることが可能である。
【００２１】
【発明の効果】
以上説明したように、本発明の結露防止ライン型吹出口は、長矩形の流路枠の内部を中仕切りによって長手方向に列状に区分され、この区分された部分に複数個の羽根を備え、天井開口の周縁に同流路枠を配置しつつ取付けられる結露防止ライン型吹出口であって、中仕切りの前記流路枠の短辺側壁面との突き当たり部には少なくとも空気流を生じ得る程度の間隙が形成された構成とすることにより、複数羽根タイプのライン型吹出口における中仕切りの基部部分に常時室内誘引空気流を遮断するような空気流を生じさせ、これによって、中仕切りの基部側における結露防止を行いつつ、額縁枠部分の結露防止用のヒータ線配線作業を簡単に行え、配線作業時間を大幅に短縮させ、作業コスト低減を達成できるとともに、絶縁不良や断線による故障の発生をも極減させ得ることが可能である。
【００２２】
また、前記間隙は前記中仕切りの室内側となる鏡面側に形成された不連続部を含む構成とすることにより、上流側から流れてくる空気流は吹出口の出口部分で中仕切りの基部側に通流する流れを必ず生起させることとなり、これによって、室内誘引気流の侵入遮断を実効化あらしめることが可能である。
【００２３】
また、前記中仕切りの前記流路枠の短辺側壁面との突き当たり部には、前記間隙に連通接続された切欠が設けられた構成とすることにより、中仕切りの空気流れ下流側、すなわち鏡面側端部に充分な空気が通流する結果、この空気流が常時存在することとなり、室内の比較的に高温の空気の誘引を完全に防止することが可能であるという効果を奏する。
【図面の簡単な説明】
【図１】本発明の実施例に係る結露防止ライン形吹出口の要部拡大断面図である。
【図２】本発明の実施例に係る結露防止ライン形吹出口の一部省略底面図である。
【図３】本発明の実施例に係る結露防止ライン形吹出口を天井面に設置した場合の室内側から見た全体斜視図である。
【図４】図１のＡ−Ａ線断面図である。
【図５】図２のＢ−Ｂ線断面図である。
【図６】従来の結露防止ライン型吹出口の要部拡大断面図である。
【図７】従来の結露防止ライン形吹出口の一部省略底面図である。
【符号の説明】
１０  結露防止ライン型吹出口
２０  流路枠
２０Ｓ  短辺側壁面
２２  中仕切り
２４  羽根
２６  額縁枠
３０  突き当たり部
３２  間隙
４０  切欠
４４  不連続部
【図１】
0003559877.tif 000002
【図２】
0003559877.tif 000003
【図３】
0003559877.tif 000004
【図４】
0003559877.tif 000005
【図５】
0003559877.tif 000006
【図６】
0003559877.tif 000007
【図７】
0003559877.tif 000008